(57)【特許請求の範囲】
【請求項１】
乗りかごが中間階に着床停止するエレベータのかご位置表示装置において、
前記乗りかごが中間階に着床停止したことを表示する中間階かご表示部と、
前記中間階に隣接する上階及び下階の称呼を表示し、前記中間階かご表示部の両側に配置された上階表示部及び下階表示部と
を具備することを特徴とするエレベータのかご位置表示装置。
【請求項２】
前記上階表示部及び下階表示部は、かごが着床停止する前記中間階に対応して、前記称呼を可変表示することを特徴とする請求項１に記載のエレベータのかご位置表示装置。
【請求項３】
乗りかごが中間階に着床停止するエレベータの行先階登録装置において、
各階の称呼をそれぞれ表示して順次配列された複数の階表示部と、
これら複数の階表示部の配列方向に沿った各間に配置されて、かごが着床停止する中間階を行先階として登録操作可能な中間階登録釦と
を具備することを特徴とするエレベータの行先階登録装置。
【請求項４】
乗りかごが中間階に着床停止するエレベータの行先階登録装置において、
各階の称呼をそれぞれ表示して順次配列された複数の行先階登録釦と、
この複数の行先階登録釦の配列方向に沿った各間に配置されて、かごが着床停止する中間階を表示する中間階表示部と
を具備することを特徴とするエレベータの行先階登録装置。
【請求項５】
前記複数の行先階登録釦のうちのいずれかが操作され、その行先階登録釦が表示する称呼の階に隣接する上方または下方の中間階にかごが着床停止したとき、その中間階を表示する前記中間階表示部が点灯するように構成されたことを特徴とする請求項４記載のエレベータの行先階登録装置。
【請求項６】
前記階表示部または前記行先階登録釦は、階の称呼に代えて、その階に位置する部屋の称呼を表示したことを特徴とする請求項３ないし請求項５のうちのいずれか１項に記載のエレベータの行先階登録装置。
【発明の詳細な説明】
【０００１】
【発明の属する技術分野】
この発明は、乗りかごが、建物の各階の間、すなわち踊り場等の中間階に着床停止し戸開するエレベータのかご位置表示装置及び行先階登録装置に関する。
【０００２】
【従来の技術】
一般にエレベータの乗りかごは、図８に示すように構成されていて、かご室１内の側板１ａには、かご内操作盤２が設置されている。
【０００３】
かご内操作盤２には、図９に拡大して示したように、建物の各階に対応する行先階登録釦３や乗りかごの現在位置を表示するかご位置表示装置４が設けられており、かご内の乗客は行先階登録釦３を押圧操作したとき、その押し釦が点灯して、乗客は目的とする行先階が登録されたことを確認することができる。
【０００４】
図８及び図９では、かご位置表示装置４が、かご内操作盤２に設けられた状態を示しているが、かご位置表示装置４はエレベータの出入り口であるいわゆる乗場にも、呼び登録釦と共に設けられ、利用客に供されている。
【０００５】
【発明が解決しようとする課題】
上記のように、従来のエレベータのかご位置表示装置及び行先階登録装置は、乗りかごが着床停止して戸開する階を表示したり、あるいはその階を指定した行先階の登録操作ができるように構成されている。
【０００６】
しかしながら、最近の住宅用をはじめとした各種目的の建物では、その使用目的等に応じた多様な構造が採用され、乗りかごが必ずしも建物の階に着床停止することなく、例えば、１階と２階の間、２階と３階の間等、階段の踊り場等のいわゆる中間階にエレベータの乗りかごを停止させ戸開させるような構造設計も考えられるようになってきた。
【０００７】
ところで、従来のかご位置表示装置及び行先階登録装置は、上記のようにエレベータの乗りかごが建物内の階に着床停止するものとして構成されまた機能していて、中間階に着床停止するエレベータに対し、現在のかご位置を表示したり、その中間階を行先階として登録することができなかったので何らかの対応が要望されていた。
【０００８】
そこで、本発明は、各階間の踊り場等、中間階に乗りかごが着床停止し、戸開するように構成されたエレベータに好適なかご位置表示装置及び行先階登録装置を提供することを目的とする。
【０００９】
【課題を解決するための手段】
請求項１記載の発明は、乗りかごが中間階に着床停止するエレベータのかご位置表示装置において、乗りかごが中間階に着床停止したことを表示する中間階かご表示部と、中間階に隣接する上階及び下階の称呼を表示し、中間階かご表示部の両側に配置された上階表示部及び下階表示部とを具備することを特徴とする。
【００１１】
このように、かご位置表示装置に、上階表示部と下階表示部の配列方向の中間位置に、中間階かご表示部または区切り表示部を設けたので、利用客は中間階での乗りかごの着床停止を容易かつ的確に認識することができる。
【００１２】
請求項２記載の発明は、請求項１のエレベータのかご位置表示装置において、上階表示部及び下階表示部は、乗りかごが着床停止する中間階に対応して、称呼を可変表示することを特徴とする。
【００１３】
このように、上階表示部及び下階表示部は乗りかごが着床停止する中間階に対応して、表示された称呼を代えるので、複数の中間階の表示に共通使用することができ、表示装置全体の小形化を実現できる。
【００１４】
請求項３記載の発明は、乗りかごが中間階に着床停止するエレベータの行先階登録装置において、各階の称呼をそれぞれ表示して順次配列された複数の階表示部と、これら複数の階表示部の配列方向に沿った各間に配置されて、かごが着床停止する中間階を行先階として登録操作可能な中間階登録釦とを具備することを特徴とする。
【００１５】
このように、行先階登録装置は、複数の階表示部の配列方向に沿った間に中間階を行先階として登録操作可能な中間階登録釦を設けたので、利用客は目的とする行先階に到達するのに最も都合の良い中間階を的確に指定することができる。
【００１６】
請求項４記載の発明は、エレベータの行先階登録装置において、各階の称呼をそれぞれ表示して順次配列された複数の行先階登録釦と、この複数の行先階登録釦の配列方向に沿った各間に配置されて、かごが着床停止する中間階を表示する中間階表示部とを具備することを特徴とする。
【００１７】
このように、行先階登録装置は、行先階登録釦の配列方向に沿った間に中間階表示部が配置されたので、利用客は目的とする行先階に到達するのに最も都合の良い停止中間階を的確に認識することができる。
【００１８】
請求項５記載の発明は、請求項４記載のエレベータの行先階登録装置において、複数の行先階登録釦のうちのいずれかが操作され、その行先階登録釦が表示する称呼の階に隣接する上方または下方の中間階にかごが着床停止したとき、その中間階を表示する中間階表示部が点灯するように構成されたことを特徴とする。
【００１９】
このように、行先階登録装置は、中間階表示部が点灯するので、かご内乗客は目的とする行先階での降りを見逃すことなく、円滑にエレベータを利用することができる。
【００２０】
請求項６記載の発明は、請求項３ないし請求項５のうちのいずれか１項に記載のエレベータの行先階登録装置において、階表示部または行先階登録釦は、階の称呼に代えて、その階に位置する部屋の称呼を表示したことを特徴とする。
【００２１】
このように、部屋の名称や番号等の称呼を表示したので、利用客は自分の利用階を容易かつ的確に認識することができ、円滑かつ快適にエレベータを利用することができる。
【００２２】
【発明の実施の形態】
以下この発明によるエレベータのかご位置表示装置及び行先階登録装置の一実施の形態を図１ないし図７を参照して詳細に説明する。
【００２３】
図１は本発明によるエレベータのかご位置表示装置の第１の実施の形態を示す正面図である。エレベータの乗りかごは図示しないが階床間の踊り場等の中間階に着床するように運転制御される。
【００２４】
かご位置表示装置５は、図示のように、乗りかごが階床間の踊り場等の中間階に着床停止したことを表示する中間階かご表示部５ａと、この中間階かご表示部５ａの上下方向に沿った上下両側の位置に、中間階に隣接する上階及び下階の称呼をそれぞれ対応させて表示する上階表示部５ｂ及び下階表示部５ｃとを備えて構成されている。
【００２５】
上階表示部５ｂ及び下階表示部５ｃは、いずれも周知のセグメント型ディスプレイで構成され、乗りかごが停止階（すなわち中間階）に着床停止したとき、その停止階とは上下に階段で直接つながる階の称呼、すなわち「１」「２」「３」・・等の階を表す数字等の文字や記号が点灯表示される。
【００２６】
また、中間階かご表示部５ａと各上階表示部５ｂ及び下階表示部５ｃとの間には、中間階と上下各階とをそれぞれ連絡する階段が設けられていることを示す階段記号５ｄが表示されている。
【００２７】
この実施の形態の中で、中間階かご表示部５ａは、ランプが内蔵されていて、乗りかごが中間階に着床停止したときにそのランプは点灯し、図示のように、ランプのカバーに描かれた、乗りかごに乗客が乗っている様子を図案化して描かれた像が明るく表示されるように構成されている。
【００２８】
従って、図１では、上階表示部５ｂ及び下階表示部５ｃが、それぞれ「３（階）」及び「２（階）」を表示し、エレベータが２階と３階の間の中間階に乗りかごが着床停止した状態を示している。
【００２９】
このように、かご位置表示装置５は、中間階かご表示部５ａを上下方向に沿ってほぼ中間位置にしてその上下両側の位置に、その中間階に隣接する上階及び下階の称呼をそれぞれ表示した上階表示部５ｂ及び下階表示部５ｃを備えたので、乗りかご内あるいは乗場に居る利用客は、乗りかごが特定の中間階に着床停止したことを的確に認識することができる。
【００３０】
上記第１の実施の形態は、その建物のエレベータが中間階にのみ停止するように構成された場合のかご位置表示装置５を示したものであるが、建物によっては、例えば１階が基準階のような特定階であって、１階と２階との間にはエレベータが停止する中間階がなく、１階のフロアにエレベータの乗場が設けられた構造も考えられる。
【００３１】
このように、中間階に加えて、一部特定の階には乗りかごが着床停止できるように構成されたエレベータのかご位置表示装置を本発明の第２の実施の形態として図２を参照して説明する。
【００３２】
図２は、その建物の１階は、フロアにエレベータの出入り口（乗場）が設けられた特定階であり、２階以上にのみ、第１の実施の形態と同様に、各階間の踊り場からなる中間階があって、その中間階をエレベータの停止階としたかご位置表示装置５の構成を示す正面図である。
【００３３】
すなわち、かご位置表示装置５の構成は、上記第１の実施の形態のかご位置表示装置の構成、つまり中間階かご表示部５ａ、中間階に隣接した上階及び下階の称呼をそれぞれ対応表示する上階表示部５ｂ及び下階表示部５ｃ、並びに階段記号５ｄに加えて、特定階である１階の称呼「１（階）」を点灯表示可能な特定階表示部５ｅ、及び上記中間階かご表示部５ａと同様な構成機能を有し、乗りかごが１階に着床停止して戸開するときに点灯する特定階かご表示部５ｆが設けられている。
【００３４】
また、かご位置表示装置５の特定階表示部５ｅと特定階かご表示部５ｆとの間には、その特定階と乗場との間は階段を経ずにつながっていることを示す線状のフロア記号５ｇが施されている。
【００３５】
従って、図２は、上階表示部５ｂ及び下階表示部５ｃには、それぞれ「３（階）」及び「２（階）」が表示され、中間階かご表示部５ａが点灯して、エレベータが２階と３階の間の中間階に乗りかごが着床停止した状態を示している。
【００３６】
もしも、エレベータが１階に着床停止すると、特定階表示部５ｅに「１（階）」が表示され、特定階かご表示部５ｆが明るく点灯する。なお、特定階表示部５ｅにセグメント型ディスプレイを採用すれば、種々の階を表示できるので、いろいろな階を特定階に持つ建物のエレベータに対応させることができる。
【００３７】
図３は本発明によるエレベータのかご位置表示装置の第３の実施の形態を示した正面図で、図示のように、中間階を示す記号としてこの実施の形態では「／」印の区切り表示部５ｈを設けるとともに、この区切り表示部５ｈを挟んで、上下に隣接する階を表示する上階表示部５ｂ及び下階表示部５ｃをセグメント型ディスプレイにより構成して設けたものである。
【００３８】
また、これらの各表示部の横（図示では右側横）には中間階かご表示部５ａが配置されているので、点灯表示により、図示のように、かごが２階と３階の間の中間階にかごが着床停止した状態を示すことができる。
【００３９】
このように、図３に示したかご位置表示装置５は、上階表示部５ｂと下階表示部５ｃとの間に区切り表示部５ｈを表示させたので、これら各表示部の点灯表示により、利用客は、乗りかごが表示された上階と下階との間の中間階に現在着床停止したことを的確に認識することができる。
【００４０】
なお、図３に示したかご位置表示装置５の構成に、図２に示した特定階表示部５ｅ、特定階かご表示部５ｆ、及びフロア記号５ｇを組み合わせて構成することもできる。
【００４１】
なお、上記各実施の形態では、上階表示部５ｂや下階表示部５ｃ、及び特定階表示部５ｅは階を示す記号として１桁の数字を使用しているように示されているが、もちろん２桁の数字による階表示、あるいは「Ｂ１」「Ｂ２」等、地下階を示す記号等、一般に使用されている文字記号等を適宜組み合わせて表示するように構成できることは言うまでもない。
【００４２】
また、各表示部の点灯も、かご着床停止動作に併せた連続的な点灯でも、あるいは点滅等のように不連続な点灯でも、あるいはこれらを適宜組み合わせた表示を採用することができる。
【００４３】
いずれにしても、本発明によるエレベータのかご位置表示装置は、踊り場等の中間階に乗りかごが着床停止した状況を的確に表示できるので、これを乗場あるいは乗りかご内に設置することにより、利用客は円滑かつ快適にエレベータを利用することができる。
【００４４】
次に、同じく上記中間階を着床停止階としたエレベータに採用できる本発明によるエレベータの行先階登録装置の一実施の形態を図４ないし図８を参照して詳細に説明する。
【００４５】
図４（ａ）は本発明によるエレベータの行先階登録装置の第１の実施の形態を示した正面図で、１階を特定階（基準階）とした５階建て建物内に据付けられたエレベータの行先階登録装置６の正面図を示している。
【００４６】
図４（ａ）は、行先階登録装置６は、エレベータの特定階である１階を除き、２階から５階までの間ではいずれも中間階にかごが着床停止することを示している。
【００４７】
すなわち、行先階登録装置６には、１階から５階までの各階の称呼「１」〜「５」をそれぞれ表示して順次配列された階表示部６ａ（６ａ１〜６ａ５）と、基準階のようにその階のフロアとは階段を経ずにエレベータ出入り口（乗場）がつながっていて、そのような特定階を行先階として登録できる特定階登録釦６ｂと、上下階とはともに階段でつながった中間階をそれぞれ個別に選択して行先階を登録操作できる中間階登録釦６ｃ（６ｃ１〜６ｃ３）が図示のように縦長に配列構成されている。中間階登録釦６ｃは複数の階表示部６ａの配列方向に沿った中間位置に設けられている。
【００４８】
また、各中間階登録釦６ｃ１〜６ｃ３と、これら各中間階登録釦６ｃ１〜６ｃ３にそれぞれ隣接する階は、階段記号６ｄで示したように階段によりつながっていることが示されており、基準階（１階）のような特定階を表示した階表示部６ａ１とそれに対応した特定階登録釦６ｂとの間には、その階には階段を経ずにエレベータ出入り口（乗場）がつながっていることを示すフロア記号６ｅが示されている。
【００４９】
なお、基準階（１階）と２階との間の階段を表示した階段記号６ｄは、通常の１階と２階とを連絡する連絡階段であることを示している。
【００５０】
このように、第１の実施の形態のエレベータの行先階登録装置によれば、乗りかごが着床停止する中間階に対応した中間階登録釦６ｃ（６ｃ１〜６ｃ３）が階表示部６ａ（６ａ２〜６ａ５）にそれぞれ対応配置されているので、乗りかご内の乗客は、２階以上の自分の目的とする行先階に最も近い中間階登録釦６ｃ（６ｃ１〜６ｃ３）を選択して押圧し、その登録釦の点灯を確認して行先階の登録が行われたことを確認することができ、円滑にエレベータを利用することができる。
【００５１】
もちろん乗客は、上記行先階登録操作に加えて、特定階（１階）登録釦６ｂを押圧操作して、特定階である１階への行先階登録操作を行うことができる。
【００５２】
なお、図４（ａ）に示した構成から分かるように、乗りかご内乗客は、例えば中間階登録釦６ｃ２を押圧操作して着床戸開した乗りかごからは、上下の各階段を利用して最寄りの階の４階あるいは３階のいずれの階にも行くことができる。
【００５３】
また、図４（ａ）に示した行先階登録装置６は、表示構成を縦長とした場合の正面図を示したものであるが、車椅子専用のかご内行先階登録装置として構成する場合は、図４（ｂ）に示したように横長に変換して構成することもできる。
【００５４】
いずれにしても、上記第１の実施の形態によるエレベータの行先階登録装置によれば、各階の称呼をそれぞれ表示して順次配列された階表示部６ａと、この階表示部６ａの配列方向に沿った各中間位置に中間階登録釦６ｃを配置したので、乗りかご内乗客は自分の目的階に到達するのに都合のよい停止中間階を的確に認識して行先階登録操作を行うことができ、円滑かつ快適にエレベータを利用することができる。
【００５５】
次に、図５は本発明によるエレベータの行先階登録装置の第２の実施の形態を示した正面図で、乗客が中間階を指定して行先階登録した上記第１の実施の形態とは異なり、従来と同様に、乗客が目的とする階そのものを指定して行先階登録操作を行い、その登録操作によってエレベータは、最寄りの停止中間階に向けかごを走行させ、着床戸開を行うように構成されている。
【００５６】
すなわち、第２の実施の形態の行先階登録装置６は、図５に示したように、目的とする行先階を表示した行先階登録釦６ｆ（６ｆ１〜６ｆ５）が上下（縦）方向に順次配列されており、それと同時に、特定階である１階（基準階）の特定階表示部６ｇ及び、２階以上の各階間（中間階）のエレベータ停止階を表示する中間階表示部６ｈ（６ｈ１〜６ｆ３）が対応表示されている。
【００５７】
従って、乗りかご内乗客は、行先階登録釦６ｆ（６ｆ１〜６ｆ５）のうち、従来と同様に、自分の目的とする行先階の釦の押圧点灯により、その行先階が登録されたことを確認できるとともに、エレベータは、その登録された行先階に最も近い停止階、すなわち特定階または中間停止階に向け走行し、着床停止するように制御される。
【００５８】
このとき、着床停止した特定階または中間停止階にそれぞれ対応する特定階表示部６ｇまたは中間階表示部６ｈ（６ｈ１〜６ｆ３）の点灯表示により、乗客は目的階に最も近い停止階に乗りかごが着床停止したことを確認して、戸開したドアから降りることができる。
【００５９】
もっとも、図５に示す実施の形態においても、中間に位置する２，３，４階を目的として行先階登録操作を行った乗客は、上下いずれかの階段を利用して、自己の目的階に到達することができる。
【００６０】
従って、行先階登録が行われた際、エレベータは目的階に最寄りの停止中間階であれば上下いずれの中間階であっても良く、その中間階に向けて乗りかごを走行させ、着床戸開させても良いが、乗客の負担を配慮し、エレベータはその目的階に対し常に上側の停止中間階にかごを着床戸開させ、乗客は常に下り階段を利用して目的階に楽に到達することができるように設定することができる。
【００６１】
あるいはまた、上り方向に運転しているときには下側の中間階に、下り方向の運転のときには上側の中間階に乗りかごが常に着床停止するようにしても良い。
【００６２】
なお、図５に示す構成で、各階と停止中間階との間の階段記号６ｄ、及び特定階におけるフロア記号６ｅは、図４に示したのと同様である。
【００６３】
図６は本発明によるエレベータの行先階登録装置の第３の実施の形態を示した正面図で、行先階登録装置６には、各階の部屋の称呼を示す番号あるいは名称等が表示されていて、その表示された称呼の階に階段を介して最寄りのエレベータの停止中間階がつながっており、乗りかご内乗客が目的とする部屋に最も近い停止中間階を指定して行先階登録操作が可能となるように配置されている。
【００６４】
すなわち、図６に示した構成は、図４（ａ）及び（ｂ）に示した構成の行先階登録装置６とは相違し、階表示部６ａは、階の称呼に代えて、各階毎に各階の部屋番号（１０１〜５０２）を称呼として表示したものである。
【００６５】
従って、図６に示す実施の形態によれば、乗りかご内乗客は、自分の目的とする行先階床の部屋を直接確認しつつ、その最寄りの停止中間階を指定して行先階登録操作を行うことができる。
【００６６】
次に、図７は、図５に示した第２の実施の形態に対応した本発明による行先階登録装置の第４の実施の形態を示した正面図で、図５に示した階そのものの称呼に代えて、その階に位置する部屋番号（１０１〜５０２）等の称呼を表示した行先階登録釦を配置したものである。
【００６７】
従って、図７に示す第４の実施の形態によれば、乗りかご内乗客は、自分の目的とする行先階床の部屋番号あるいは名称の称呼を直接指定して行先階登録を行い、その目的とする行先階に最も近い中間階に乗りかごを自動的に走行停止させることができる。
【００６８】
なお、上記図５ないし図７に示した各実施の形態のエレベータの行先階登録装置を、図４（ｂ）に示したように、横長に変換配置して、車椅子用の行先階登録装置にとして使用することができる。
【００６９】
以上説明したように、上記各実施の形態によるエレベータの行先階登録装置によれば、乗りかごが中間階で着床停止するエレベータにおいて、乗りかご内乗客は目的階に最も近い停止中間階を的確に把握して、行先階登録操作ができるものであり、実用に際して顕著な効果を得ることができる。
【００７０】
【発明の効果】
請求項１に記載の発明によれば、かご位置表示装置に、上階表示部と下階表示部の配列方向に沿った中間位置に、中間階かご表示部または区切り表示部を設けたので、利用客は中間階での乗りかごの着床停止を容易かつ的確に認識でき、円滑にエレベータを利用することができる。
【００７１】
請求項２に記載の発明は、請求項１に記載のエレベータのかご位置表示装置において、上階表示部及び下階表示部は乗りかごが着床停止する中間階に対応して、表示された称呼を代えるので、複数の中間階の表示に共通使用することができ、表示装置全体の小形化を実現できる。
【００７２】
請求項３に記載の発明は、エレベータの行先階登録装置において、複数の階表示部の配列方向に沿った中間位置に中間階を行先階として登録操作可能な中間階登録釦を設けたので、利用客は目的とする行先階に到達するのに最も都合の良い中間階を的確に指定することができる。
【００７３】
請求項４に記載の発明は、複数の行先階登録釦の配列方向に沿った中間位置に中間階表示部が配置されているので、利用客は目的とする行先階に到達するのに最も都合の良い停止中間階を的確に認識することができる。
【００７４】
請求項５に記載の発明は、請求項４に記載のエレベータの行先階登録装置において、中間階表示部が点灯するので、乗りかご内乗客は目的とする行先階での乗りかごからの降りを見逃すことなく、円滑にエレベータを利用することができる。
【００７５】
請求項６に記載の発明は、請求項３ないし請求項５のうちのいずれか１項に記載のエレベータの行先階登録装置において、部屋の名称や番号等、称呼を表示したので、利用客は自分の目的とする行先階を容易かつ的確に認識することができ、円滑かつ快適にエレベータを利用することができる。
【図面の簡単な説明】
【図１】この発明によるエレベータのかご位置表示装置の第１の実施の形態を示す正面図である。
【図２】この発明によるエレベータのかご位置表示装置の第２の実施の形態を示す正面図である。
【図３】この発明によるエレベータのかご位置表示装置の第３の実施の形態を示す正面図である。
【図４】図４（ａ）は、この発明によるエレベータの行先階登録装置の第１の実施の形態を示す正面図、図４（ｂ）は同じく第１の実施の形態の変形例を示す正面図である。
【図５】この発明によるエレベータの行先階登録装置の第２の実施の形態を示す正面図である。
【図６】この発明によるエレベータの行先階登録装置の第３の実施の形態を示す正面図である。
【図７】この発明によるエレベータの行先階登録装置の第４の実施の形態を示す正面図である。
【図８】従来のエレベータの乗りかご内を示す斜視図である。
【図９】図８に示すかご内操作盤を示す正面図である。
【符号の説明】
１  乗りかご
２  かご内操作盤
３  行先階登録釦
４  かご位置表示装置
５  かご位置表示装置
５ａ  中間階かご表示部
５ｂ  上階表示部
５ｃ  下階表示部
５ｄ  階段表示
５ｅ  特定階表示部
５ｆ  特定階かご表示部
５ｇ  フロア記号
５ｈ  区切り表示部
６  行先階登録装置
６ａ（６ａ１〜６ａ５）  階表示部
６ｂ  特定階登録釦
６ｃ（６ｃ１〜６ｃ３）  中間階登録釦
６ｄ  階段記号
６ｅ  フロア記号
６ｆ  行先階登録釦
６ｇ  特定階表示部
６ｈ（６ｈ１〜６ｈ３）  中間階表示部
【図１】
0004750249.tif 000002
【図２】
0004750249.tif 000003
【図３】
0004750249.tif 000004
【図４】
0004750249.tif 000005
【図５】
0004750249.tif 000006
【図６】
0004750249.tif 000007
【図７】
0004750249.tif 000008
【図８】
0004750249.tif 000009
【図９】
0004750249.tif 000010